(57)【特許請求の範囲】
【請求項１】
制御ケースの内部に、プリント基板を有し上記制御ケースの底壁に固定される共通ベースと、ファン回転用モータの回転を制御するポテンショメータが固着され上記共通ベース上に固定されたときに上記ポテンショメータが上記プリント基板の回路に電気接続するセラミック基板と、該セラミック基板の上方に配設され、流体圧力に応じて上記ポテンショメータの摺動抵抗面を滑り接触する接触子を有する機構部とを設けることにより、制御ケースの内部構造を三層構造とし、
上記機構部は、上記セラミック基板の上方に配設される内部ケースと、該内部ケースに取り付けられ、流体の圧力に応じて伸縮するセンサと、上記内部ケースに設けられた支点に枢着される検知レバーと、該検知レバーを上記センサの伸縮面に当接する方向に付勢する接触圧調整用スプリングと、上記内部ケースに枢着され、作動用スプリングにより上記検知レバーに当接する方向に付勢され、上記接触子を有する作動レバーと、上記検知レバーの上記センサ接触面の反対面の近傍に配設され、上記検知レバーの回動量を規制するストッパとにより構成される
ことを特徴とするファンの回転制御装置。
【請求項２】
上記センサは、機器内に送給される流体圧力を伸縮量に変換するベローズであることを特徴とする請求項１記載のファンの回転制御装置。
【請求項３】
上記内部ケースの上壁に、切込みと屈曲加工により上記接触子の位置を目視できる透視孔と下方に垂下するばね支持片を形成し、上記作動用スプリングの両端は、上記ばね支持片と作動レバーに張設されることを特徴とする請求項１又は２記載のファンの回転制御装置。
【請求項４】
上記内部ケースの上壁に長孔を設け、該長孔の側面に目盛を設け、上記接触圧調整用スプリングに設けた調整量指針を上記長孔にスライド可能に挿入したことを特徴とする請求項１，２又は３記載のファンの回転制御装置。
【発明の詳細な説明】
【０００１】
【発明の属する技術分野】
本発明は、機器内に送給される流体の圧力を検知して、機器を空冷するファンの回転数を制御するファンの回転制御装置に関するものである。
【０００２】
【従来の技術】
例えば、冷凍サイクルにおける凝縮器では、凝縮器に送給される冷媒の圧力を検知して、凝縮器を空冷するファンの回転数を制御するファン制御装置を設け、適正な凝縮を保持するようにしている。
従来のファン制御装置は、制御ケースの内部に、ポテンショメータの抵抗体を蒸着したプラスチック板を設け、上記抵抗体に滑り接触する接触子を流体の圧力に応じて回動する機構部をプラスチック板の上に設け、制御ケースの中のプラスチック板の側方に、プリント基板を設け、ポテンショメータとプリント基板の回路を、リード線の半田付けにより電気接続していた。
【０００３】
従来のファン制御装置の機構部の構造は、ポテンショメータの抵抗体がプラスチック板に蒸着されている点が本願発明の機構部とは相違するが、その他の点では基本的に類似するので、従来の機構部の構造の概要を、本発明の機構部の要部を示す図３を参照しながら説明することができる。
プラスチック板（本願発明ではセラミック基板）の上に内部ケースが配設される（図３には内部ケースの底壁１ａを示す）。
内部ケースの側面に、流体圧力に応じて伸縮するセンサであるベローズ２を取り付け、ベローズ２には流体圧力が伝達される管路３が接続する。
【０００４】
内部ケースの上下内壁面より支点４が突出し、支点４に枢着される検知レバー５は、一端５ａがベローズ２の伸縮面に当接可能であり、検知レバー５の他端５ｂ側にばね支持部６とレバー部７が設けられる。
ばね支持部６に接触圧調整用スプリング８の一端が係止され、接触圧調整用スプリング８の他端には、内部ケースの側壁１ｂに螺合する調整ねじ９が設けられる。
従って、検知レバー５は、一端５ａがベローズ２の伸縮面に圧接する方向に付勢され、その接触圧は、調整ねじ９の回動量によって調整される。
検知レバー５の他端５ｂの回動量を規制するために、内部ケースにストッパ２１が設けられる。
【０００５】
検知レバー５の他端５ｂから突出するレバー部７は、中間部でほぼ９０度屈曲し、先端には下方に垂下する垂直壁１０が設けられる。
内部ケース１に上壁（図示しない）及び底壁１ａに支軸１１の上下両端が支持され、支軸１１に枢着される作動レバー１２は、垂直壁１３とばね支持腕１４とを有する。
ケースの上壁から下方に垂下するばね支持片１５と、作動レバー１２のばね支持腕１４に、作動用スプリング１６に両端が係止され、垂直壁１３は検知レバー５の垂直壁１０に接近する方向に付勢される。
【０００６】
垂直壁１３のほぼ中央部に設けられたねじ孔に調整ねじ１７が螺合し、調整ねじ１７の先端が検知レバー５の垂直壁１０に圧接する。
垂直壁１３の下端に設けられた接触子１８は、底壁１ａの開口１９を経由してプラスチック板の上面に設けられたポテンショメータの摺動抵抗面２０にスライド可能に接触する。
従って、流体圧力に応じてベローズ２が伸縮すると、接触子１８が摺動抵抗面２０に沿って変位し、ポテンショメータの抵抗値の変化によりファンの回転数が制御される。
【０００７】
【発明が解決しようとする課題】
上記のファン制御装置には、次に示すような課題が残されていた。
(1) プラスチック板上のポテンショメータとプリント基板の回路とを、リード線を半田付けして電気接続するが、この配線作業に多大な時間がかかり、ファンの回転制御装置の製作費が高くなる問題があった。
(2) プラスチック板にはポテンショメータを高温で焼付けして固着することができないため蒸着により固着したが、高抵抗を形成することができなかった。
(3) ベローズ２が大きく延びて検知レバー５の他端５ｂがストッパ２１に衝突するときに、大きな曲げモーメントが発生して検知レバー５２に歪みが生じるので、この歪みにより流体圧力に対応する接触子１８の回動量に誤差を生じ、ファンの回転制御装置の精度が低下する。
検知レバー５の構造を、大きな曲げモーメントを受けても歪みを生じない丈夫な構造にすると、検知レバー５の製作費が高価になる問題があった。
【０００８】
(4) スクリュウドライバで調整ねじ９を回しながら、ポテンショメータの接触子１８の位置を微調整する場合に、接触子１８の位置を目視し易くしなければならない。
又、調整ねじ９の微調整量を確認できる何らかの尺度を設置することが望ましいが、機構部の構造が複雑になり、ファンの回転制御装置の製作費が高価になる問題があった。
本発明はかかる課題を解決することを目的とする。
【０００９】
【課題を解決するための手段】
上記目的を達成するために、本発明のファンの回転制御装置は、
制御ケースの内部に、プリント基板を有し上記制御ケースの底壁に固定される共通ベースと、ファン回転用モータの回転を制御するポテンショメータが固着され上記共通ベース上に固定されたときに上記ポテンショメータが上記プリント基板の回路に電気接続するセラミック基板と、該セラミック基板の上方に配設され、流体圧力に応じて上記ポテンショメータの摺動抵抗面を滑り接触する接触子を有する機構部とを設けることにより、制御ケースの内部構造を三層構造とした。
【００１０】
上記機構部は、上記セラミック基板の上方に配設される内部ケースと、該内部ケースに取り付けられ、流体の圧力に応じて伸縮するセンサと、上記内部ケースに設けられた支点に枢着される検知レバーと、該検知レバーを上記センサの伸縮面に当接する方向に付勢する接触圧調整用スプリングと、上記内部ケースに枢着され、作動用スプリングにより上記検知レバーに当接する方向に付勢され、上記接触子を有する作動レバーと、上記検知レバーの上記センサ接触面の反対面の近傍に配設され、上記検知レバーの回動量を規制するストッパとにより構成することができる。
【００１１】
上記センサは、機器内に送給される流体圧力を伸縮量に変換するベローズとすることができる。
上記内部ケースの上壁に、切込みと屈曲加工により上記接触子の位置を目視できる透視孔と下方に垂下するばね支持片を形成し、上記作動用スプリングの両端を、上記ばね支持片と作動レバーに張設するとよい。
上記内部ケースの上壁に長孔を設け、該長孔の側面に目盛を設け、上記接触圧調整用スプリングに設けた調整量指針を上記長孔にスライド可能に挿入するとよい。
【００１２】
【発明の実施の形態】
本発明の実施の形態について図面を参照して説明すると、図１は蓋を除去したファンの回転制御装置の一部破断平面図、図２は蓋を除去したファンの回転制御装置の平面図、図３は機構部の構造を説明する斜視図、図４は機構部の横断面図、図５はファンの回転制御装置の外観を示す斜視図である。
ファンの回転制御装置の制御ケース２２は、図５に示すように、上部が開口し両外側面にフランジ２３ａが設けられるケース本体２３と、ケース本体２３の下面に固着される取付板２４と、ケース本体２３の上部に被せられる開閉蓋２５により構成され、開閉蓋２５には、フランジ２３ａと重なるフランジ２５ａが設けられる。
【００１３】
開閉蓋２５をケース本体２３に締結するねじ２８は、ワッシャ２７及び開閉蓋２５のフランジ２５ａに設けられた孔２６に挿入され、ねじ２８の先端がケース本体２３のフランジ２３ａに設けられたねじ孔２９（図１参照）に螺合する。
上面に回路が形成されるプリント基板を有する共通ベース３０が、ケース本体２３の底壁２３ｂに載置され、共通ベース３０の４隅に設けられた孔（図示しない）を貫通するねじ３１が底壁２３ｂに螺合し、共通ベース３０がケース本体２３の底壁２３ｂに固定される（図１参照）。
【００１４】
表面にポテンショメータの摺動抵抗面２０を焼き付けたセラミック基板３２が共通ベース３０上に固着され、ポテンショメータの導体部の端部がプリント基板の回路に直接に圧接して電気接続される（図１参照）。
セラミック基板３２は、摺動抵抗面２０を焼き付けにより固着することができるので、ポテンショメータを高抵抗にすることが可能になった。
リード線の端部を半田付によりポテンショメータとプリント基板の回路に接続する手間が無くなり、組立が簡単になる利点が生じる。
制御ケース２２の内部は、共通ベース３０，セラミック基板３２及びセラミック基板３２の上に設けられる機構部により三層に設けられるので、制御ケース２２の容積が小さくなり、コンパクトになった。
【００１５】
機構部の各部品が組付けられる内部ケース１は、底壁１ａと、底壁１ａの一端（ベローズ２の反対側端部）から屈曲して起立する２個の側壁１ｂと（図１参照）、側壁１ｂの上端から底壁１ａと平行に延びる上壁１ｃ（図２参照）とを有し、側壁１ｂの反対側には、ベローズ２のフランジ３３がねじ止めされる（図１参照）。
【００１６】
底壁１ａ周縁部の３か所には、底壁１ａの端部から下方に突出し先端が水平に屈曲する脚部３４が設けられ（図１，図３参照）、脚部３４に設けられた孔３５に挿通されるねじ３６の先端を共通ベース３０に螺合して、内部ケース１を共通ベース３０に固着する（図１，図４参照）。
内部ケース１は、脚部３４が下方に突出しているので、底壁１ａとセラミック基板３２の上面との間に空間が確保される。
【００１７】
内部ケース１に、ベローズ２，検知レバー５，接触圧調整用スプリング８，接触子１８を有する作動レバー１２，作動スプリング１６が設けられることは、従来例と同様であるが、本発明では、検知レバー５のベローズ２接触面の反対側に、検知レバー５の回動量を規制するストッパ３７を設けた（図３参照）。
検知レバー５に回動量を規制する従来のストッパ２１は、そのまま残したままでもよいが、検知レバー５は従来のストッパ２１よりも先に本発明のストッパ３７に当たるようにする。
【００１８】
ストッパ３７は、ベローズ２が検知レバー５を押動する押動力の延長線上の近傍に位置しており、検知レバー５がストッパ３７に当たっても、検知レバー５に生じる曲げモーメントは極めて小さく、検知レバー５を補強しなくても検知レバー５の歪みによる精度誤差は問題にならない。
従って、検知レバー５を安価に製作することができ、軽量にして追従性がよいものにすることができる。
【００１９】
内部ケース１の上壁１ｃに、切込みと屈曲加工により、接触子１８の位置を目視し易い透視孔３８（図２参照）を開口すると共に、一部の下方屈曲部分によりばね支持片１５を形成する。
従って、ばね支持片１５の製作費用や取り付け費用が不用になる効果と、透視孔３８から接触子１８の位置を見ながら、スクリュウドライバで調整ねじ９を回同して検知レバー５の接触圧を微調整することができる効果が生じる。
【００２０】
内部ケース１の上壁１ｃに、接触圧調整用スプリング８の上方に位置し、接触圧調整用スプリング８の伸縮方向に平行な長孔３９を設け、長孔３９の側縁に、接触圧調整用スプリング８の付勢力の微調整を確認するための目盛４０を設け、接触圧調整用スプリング８に固着された調整量指針４１を、長孔３９内にスライド可能に挿入する。
従って、調整量指針４１の位置を目盛４０で読み取れば、接触圧調整用スプリング８の付勢力の微調整量を容易に且つ正確に読み計測することができる。
長孔３９の加工，目盛４０の施工、調整量指針４１の取り付けに要する費用は極めて安価であり、微調整が容易になったにもかかわらず、ファンの回転制御装置の製作費は殆ど上昇しない。
【００２１】
【発明の効果】
本発明は以上のように構成されているので、以下に記載されるような効果を奏する。
(1) 本発明は、プリント基板を有する共通ベースの上にポテンショメータ付きのセラミック基板を固定して  ポテンショメータとプリント基板とを直接電気接続し、プリント基板の上方に機構部を配設する三層構造としたので、これらを収容する制御ケースがコンパクトになった。
又、ポテンショメータとプリント基板とを、リード線を半田付けして電気接続する配線作業が不要になり、ファンの回転制御装置の製作費の低減した。
【００２２】
(2) セラミック基板にポテンショメータを焼付けにより固定したので、高抵抗のポテンショメータを形成することができ、信頼性，耐久性の高いファンの回転制御装置を安価に提供することが可能になった。
(3) 検知レバーの歪みを減少させるストッパを設けることにより、精度の高いファンの回転制御装置を安価に提供することが可能になった。
(4) スクリュウドライバで調整ねじを回しながら、ポテンショメータの接触子を目視できるようにし、更に、調整量を読み取る調整量指針を設けたので、ファンの回転制御装置を、製作費を殆ど上昇させることなく、微調整が容易な構造とすることができた。
【図面の簡単な説明】
【図１】蓋を除去したファンの回転制御装置の一部破断平面図である。
【図２】蓋を除去したファンの回転制御装置の平面図である。
【図３】機構部の構造を説明する斜視図である。
【図４】機構部の横断面図である。
【図５】ファンの回転制御装置の外観を示す斜視図である。
【符号の説明】
１              内部ケース
２              ベローズ
４              支点
５              検知レバー
７              レバー部
８              接触圧調整用スプリング
９              調整ねじ
１２            作動レバー
１５            ばね支持片
１６            作動スプリング
１８            接触子
２０            ポテンショメータの摺動面
２２            制御ケース
２３            ケース本体
２３ｂ          底壁
３０            共通ベース
３２            セラミック基板
３７            ストッパ
３８            透視孔
３９            長孔
４０            目盛
４１            調整量指針
【図１】
0003745858.tif 000002
【図２】
0003745858.tif 000003
【図３】
0003745858.tif 000004
【図４】
0003745858.tif 000005
【図５】
0003745858.tif 000006